(57)【要約】【課題】収納スペースを節約して保管スペースを採らないようにする。【解決手段】前後両脚２、３の脚長さを略同じ値に形成すると共に、前後両脚２、３を、それらの上端部にて、相対回転運動が可能なように連結する。座部１は、その後方部が後脚３の略中間部に形成されたＰ４点にて、また、後方部より所定量前方に移動した点が背もたれ部４の下端部に形成されたＰ５点に、それぞれ相対回転運動が可能なように結合される。座部１と背もたれ部４との結合部に一端が回転可能なように連結された連結リンク部材６の他端を、前脚の中間部に相対回転運動が可能なように結合する。前脚２を後脚３に折り畳むときに、座部１が、前脚２に設けられた支持部２ａから上方に離れるように移動するようにする。【選択図】　　　図２
2004130002.tif 000002
【特許請求の範囲】
【請求項１】
座部と、当該座部を支持するようにその側面に設けられた前脚及び後脚と、上記座部に回転可能に設けられた背もたれ部と、当該背もたれ部及び上記前脚に回転可能なように設けられた肘掛け部と、を備えた折り畳み式椅子において、上記前後両脚の脚長さを略同じ値にするとともに、上記前後両脚を、それらの上端部にて相対回転運動が可能なように連結し、上記座部は、その後端部が上記後脚の略中間部に相対回転運動が可能なように結合されるとともに、当該後端部よりも所定量前方に移動した点にて上記背もたれ部の下端部に相対回転運動が可能なように結合されるようにし、更に、上記座部と上記背もたれ部との結合部に一端が回転可能なように結合された連結リンク部材の他端を上記前脚の中間部に相対回転運動が可能なように結合し、また、上記前脚を上記後脚に沿うように折り畳むときに、上記座部が、上記前脚の上記連結リンク部材との結合部付近に設けられた支持部から上方に離れて上記背もたれ部側に沿うように移動するようにしたことを特徴とする折り畳み式椅子。
【請求項２】
請求項１記載の折り畳み式椅子において、上記前脚と、上記連結リンク部材と、上記背もたれ部と、上記肘掛け部とにて平行リンク機構を形成させるようにするとともに、上記前脚と上記後脚との折り畳み運動は、上記前脚下端部と後脚下端部とが同一平面内における直線運動を伴った状態で行われるようにしたことを特徴とする折り畳み式椅子。
【請求項３】
請求項１又は請求項２記載の折り畳み式椅子において、上記前脚に設けられた上記座部の支持部構造を、左右一対の前脚の間を連結する桟部材にて形成させるようにしたことを特徴とする折り畳み式椅子。
【発明の詳細な説明】
【０００１】
【発明の属する技術分野】
本発明は、折り畳み式椅子に関するものであり、特に、前後脚の脚長さが略同じ値を有するとともに、前後脚の上端部にて相対回転運動が可能なように連結されるようにし、これによって、安定した状態で本折り畳み式椅子を収納することができるようにしたものに関するものである。
【０００２】
【従来の技術】
従来の折り畳み式椅子は、例えば、特開平７−７９８３２号公報記載のものの如く、前脚と、肘掛け部と、背もたれ支柱と、座部とで四節回転連鎖である平行リンク機構を形成するとともに、前脚上端部側に後脚が相対回転運動可能なように取り付けられるようになっているものである。そして、上記座部と左右の後脚の略中間部にて差し渡された桟と、の間には、ヒンジ点を介して連動ステーが相対回転運動が可能なように取り付けられるようになっているものである。このような構成を採ることによって、背当て部を手で持って上方に引き上げることによって、ワンハンド操作にて椅子を折り畳むことができるようになっているものである。
【０００３】
【発明が解決しようとする課題】
ところで、上記従来のものにおいては、後脚の長さが前脚よりも長くなっている。従って、この従来のものにおいては、椅子を折り畳んだ状態において、前脚よりも後脚の方が、その下端を長く突出させた不揃いの状態となってしまう。その結果、折り畳んで壁等に立て掛けた状態で収納をしようとしたときに、折り畳まれた椅子自体が不安定となり、円滑な収納作業を進めるのが難しいと言う問題点がある。このような問題点を解決するために、前後両脚の長さを略等しくなるようにすることによって折り畳んだときの状態を安定化させるとともに、収納スペースの節約を図ることのできるようにした折り畳み式椅子を提供しようとするのが、本発明の目的（課題）である。
【０００４】
【課題を解決するための手段】
上記課題を解決するために、本発明においては次のような手段を講ずることとした。すなわち、請求項１記載の発明においては、座部と、当該座部を支持するようにその側面に設けられた前脚および後脚と、上記座部に回転可能に設けられた背もたれ部と、当該背もたれ部及び上記前脚に相対回転運動が可能なように設けられた肘掛け部と、を備えた折り畳み式椅子に関して、上記前後両脚の脚長さを略同じ値にするとともに、上記前後両脚を、それらの上端部にて相対回転運動が可能なように連結し、上記座部は、その後端部が上記後脚の略中間部に相対回転運動が可能なように結合されるとともに、当該後端部よりも所定量前方に移動した点にて上記背もたれ部の下端部に相対回転運動が可能なように結合されるようにし、更に、上記座部と上記背もたれ部との結合部に一端が回転可能なように結合された連結リンク部材の他端を上記前脚の中間部に相対回転運動が可能なように結合し、また、上記前脚を上記後脚に沿うように折り畳むときに、上記座部が、上記前脚の上記連結リンク部材との結合部付近に設けられた支持部から上方に離れて上記背もたれ部側に沿うように移動するようにした構成を採ることとした。
【０００５】
このような構成を採ることにより、本発明のものにおいては、折り畳み式椅子を展開して着座できる状態に展開した場合に、前脚と後脚とは、ほぼ二等辺三角形状に開脚した状態で接地するようになる。そして、座部は、上記連結リンク部材を介して前脚に設けられた支持部にて支持されるとともに、後脚への回転結合部にて支持されるようになる。従って、着座者の体重を安定的に支持することができるようになる。また、このような折り畳み式椅子の折り畳み作業は、４節回転連鎖を形成する前脚と、肘掛け部と、背もたれ部と、連結リンク部材とを、それぞれが互いに折り重なるように操作することによって行われる。具体的には、上記座部と背もたれ部とを、作業者が両手で、それらを重ね合わせるように引き上げることによって行われる。その結果、座部は支持部から離れるとともに、上記背もたれ部側に回転して重ね合わされることとなる。このようにして折り畳まれた状態においては、前後両脚は、それぞれの長さが略同じ値に設定されているので、前後両脚の下端部は揃えられた状態で収納され、全体としてコンパクトに収容されることとなる。
【０００６】
次に、請求項２記載の発明について説明する。このものは、請求項１記載の折り畳み式椅子において、上記前脚と、上記連結リンク部材と、上記背もたれ部と、上記肘掛け部とにて平行リンク機構を形成させるようにするとともに、上記前脚と上記後脚との折り畳み運動は、上記前脚下端部と後脚下端部とが同一平面内における直線運動を伴った状態で行われるようにした構成を採ることとした。このような構成を採ることにより、本発明のものにおいては、折り畳み式椅子が折り畳まれる中間状態において、前脚と後脚とは、両者のヒンジ点（結合部）を中心にして常に二等辺三角形を形成するように移動（変位）するので、それぞれの下端部は、前後に沿う同一平面内で移動するようになり、前後脚の開き角度を非常に小さくした中間状態を維持した状態で、複数の折り畳み式椅子を立てたままの状態で収納することができるようになる。従って、折り畳み式椅子を安定した状態で、かつ、立てた状態で収納することができるようになり、収納スペースの節約化を図ることができるようになる。
【０００７】
次に、請求項３記載の発明について説明する。このものは、請求項１又は請求項２記載の折り畳み式椅子に関して、上記前脚に設けられた上記座部の支持部構造を、左右一対の前脚の間を連結する桟部材にて形成させるようにした構成を採ることとした。このような構成を採ることにより、本発明のものにおいては、座部を展開して着座可能な状態にしたときに、座部を桟部材の上に係止させることができるようになり、座部を４本の前脚及び後脚間に確実に保持することができるようになる。その結果、本折り畳式椅子全体の展開時における剛性を高めさせることができるようになる。
【０００８】
【発明の実施の形態】
本発明の実施の形態について、図１ないし図５を基に説明する。本実施の形態にかかる折り畳み式椅子は、図１に示されるように、座部１と、この座部１を支持するようにその両側に設けられた木製の前脚２および後脚３と、座部１に回転可能に設けられた木製の背もたれ部４と、この背もたれ部４及び上記前脚２に回転可能なように設けられた木製の肘掛け部５と、から成立っている。以下に、これら各構成要素について説明する。
【０００９】
このような構成からなるものにおいて、上記座部１は、図２及び図３に示す如く、シートクッション部１ａと、その下面に配設された金属製パイプ材にて形成されるシートフレーム１ｂと、からなるものである。なお、このようなシートフレーム１ｂのほぼ中央部には、左右方向に配置されるものであって金属製のパイプ材にて形成された補強フレームが設けられるようになっているものである。
【００１０】
また、上記前脚２および後脚３は、脚の長さが共に略同じ値を有するように設定されており、これらの上端部は、互いに相対回転運動が可能なように連結されている。すなわち、前脚２の上端部に一体的に取り付けられたブラケット２ｄに、ピン軸Ｐ１を介して後脚３が相対回転運動可能なように取付けられている（図２参照）。また、前脚２および後脚３の上方部には、肘掛け部５が配置されるようになっている（図２参照）。すなわち、上記前脚２の上端部には、側面視において上方に緩やかに湾曲した形状を有する木製の肘掛け部５がＰ２点を支点にして回転自在なように取り付けられるようになっている。具体的には、肘掛け部５の略中央部下方には肘掛けブラケット５ａが取り付けられるとともに、当該肘掛けブラケット５ａと前脚２とに貫通するピン軸Ｐ２により、肘掛けブラケット５ａと前脚２とが相対回転運動可能なように結合されている。また、肘掛け部５の後方部は、ピン軸Ｐ３を介して後述する背もたれ部４に相対回転運動が可能なように結合されている。
【００１１】
また、上記左右一対の前脚２、２の間には木製の前脚桟２ａが架け渡されるとともに、同じく左右一対の後脚３、３の間には木製の後脚桟３ａが架け渡されるようになっている。これらの前脚桟２ａおよび後脚桟３ａは、図１及び図２に示す如く、それぞれの左右両端面が前脚２及び後脚３に結合されるようになっている。また、一方、上記後脚３の略中間部には、図２及び図４に示す如く、座部１の後端部がＰ４点を支点にして相対回転運動可能なように結合されている。そして、後脚３、３間に設けられる後脚桟３ａには、その左右両端部にヒンジ部３ｂ１を有する金属製の後脚ヒンジブラケット３ｂが取り付けられるようになっている。そして、このようなヒンジブラケット３ｂのヒンジ部３ｂ１とシートフレーム１ｂとの間にはピン軸Ｐ４が設けられるようになっている。これによって、座部１の後方部は、ピン軸Ｐ４を中心にして回転運動をすることができるようになる。
【００１２】
また、このような座部１の後端部から所定量前方に移動したところには、背もたれ部４の下端部が、上記座部１に対して相対回転運動が可能なように取付けられるようになっている。この背もたれ部４は、上記座部１上に着座する者（着座者）の背中をあてがうように形成された背当て部４ａと、当該背当て部４ａの両側に設けられた背当てフレーム４ｂと、からなり、この背当てフレーム４ｂの下端部が、上記シートフレーム１ｂに設けられたボス部１ｂ１のところにピン軸Ｐ５を介して相対回転運動が可能なように結合されるようになっている。
【００１３】
また、上記座部１と前脚２との間には、図２及び図３に示すように、金属製の連結リンク部材６が設けられている。そして、上記前脚桟２ａには、上記後脚桟３ａの場合と同様に、その左右両端部にヒンジ部２ｂ１を有する前脚ヒンジブラケット２ｂが取り付けられている。そして、上記連結リンク部材６の一端は、上記背当てフレーム４ｂの下端部にピン軸Ｐ５を介して相対回転運動が可能なように連結されるとともに、その他端は、前脚桟２ａに設けられたヒンジ部２ｂ１にピン軸Ｐ６を介して相対回転運動が可能なように結合されている。このようにして、図２に示すように、座部１がほぼ水平に展開した着座状態において、連結リンク部材６は、シートフレーム１ｂとほぼ同一水平面内に存するように配置されることとなる。また、上記座部１および背もたれ部４と、前脚２とは、連結リンク部材６を介して相対回転運動が可能なように連結されている。
【００１４】
従って、本椅子を形成する各部材は、例えば、図２に示すように、その側面から視て、前脚２、肘掛け部５、後脚３、および連結リンク部材６が、それぞれ、ピン軸Ｐ２、Ｐ３、Ｐ５、Ｐ６にて相対回転運動が可能なように結合されて４節回転連鎖を形成するようになっている。この４節回転連鎖は、本実施の形態の場合、平行リンク機構を形成するようになっているものである。
【００１５】
次に、このような構成からなる本実施の形態のものについての、その作動態様について説明する。まず、折り畳み式椅子が、展開されて、着座できる状態にある場合には、図２に示されるように、前脚２と後脚３とは、略二等辺三角形の状態となって展開し、それぞれの下端部は床面Ｆに接地した状態となる。このとき、各ピン軸Ｐ４、Ｐ５、Ｐ６は床面Ｆに略平行な同一水平面上に並ぶようになる。また、連結リンク部材６も同じように略同一水平面上に配置された状態となる。この状態では、座部１からの荷重の一部は前脚桟２ａを介して前脚２に伝播されるとともに、残りの荷重は後脚桟３ａを介して後脚３に伝播されるようになる。このように、座部１は、ピン軸Ｐ４、Ｐ６において前脚桟２ａ及び後脚桟３ａに支持されるようになり、着座者の体重（荷重）は、二等辺三角形状に展開された前後両脚２、３にて安定的に支持されるようになる。
【００１６】
このような状態において、折り畳み式椅子を折り畳んで収納する場合には、図４に示すように、座部１の前方を手でもってＡ方向に引き上げるように操作する。これによって、平行リンク機構を形成する各ピン軸Ｐ２、Ｐ３、Ｐ５、Ｐ６を支点にして、肘掛け部５、背当てフレーム４ｂ、および連結リンク部材６は、前脚２に対して相対回転運動を行い、その平行リンク機構の形状が扁平化するように変形する。その結果、座部１の前半部分は、前脚桟２ａから離れて上方に浮き上がり、背もたれ部４側に沿うように移動して行く。このような状態において、上記座部１に対するＡ方向への引き上げ操作を続けて行くと、平行リンク機構は、更に閉じて、最終的には図５に示す如く、後脚３は前脚２と重ね合わされる（折り重なる）ようになる。このようにして、折り畳み式椅子の収納が行われることとなる。このような一連の作動態様において、前脚２と後脚３とは、常に床面Ｆに対して二等辺三角形を保った状態で移動（変位）して行くこととなる。従って、前脚２と後脚３との折り畳み運動は、前脚２の下端部と後脚３の下端部とが、常に床面Ｆ上における直線運動を伴った状態で行われる。
【００１７】
このように、本実施の形態のものによれば、収納状態にあるときには、図５に示す如く、折り畳み式椅子を構成する部材が、背もたれ部４側に沿うように重ね合わされた状態で折り畳まれ、コンパクトに収納されるようになる。その結果、収納スペースを節約化することができるようになる。従って、保管スペースを有効活用することができるようになる。また、使用状態時においては、着座者の体重を、座部１を介して、更には前脚桟２ａ及び後脚桟３ａを介して、４本の脚２、３に略均等なように分配することができるようになり、体重（荷重）を安定した状態で支持することができるようになる。
【００１８】
【発明の効果】
本発明によれば、折り畳み式椅子に関して、座部と、当該座部を支持するようにその側面に設けられた前脚および後脚と、上記座部に回転可能に設けられた背もたれ部と、当該背もたれ部及び上記前脚に相対回転運動が可能なように設けられた肘掛け部と、を備えた折り畳み式椅子に関して、上記前後両脚の脚長さを略同じ値にするとともに、上記前後両脚を、それらの上端部にて相対回転運動が可能なように連結し、上記座部は、その後端部が上記後脚の略中間部に相対回転運動が可能なように結合されるとともに、当該後端部よりも所定量前方に移動した点にて上記背もたれ部の下端部に相対回転運動が可能なように結合されるようにし、更に、上記座部と上記背もたれ部との結合部に一端が回転可能なように結合された連結リンク部材の他端を上記前脚の中間部に相対回転運動が可能なように結合し、また、上記前脚を上記後脚に沿うように折り畳むときに、上記座部が、上記前脚の上記連結リンク部材との結合部付近に設けられた支持部から上方に離れて上記背もたれ部側に沿うように移動するようにした構成を採ることとしたので、本折り畳み式椅子を展開して着座できる状態に展開した場合には、前脚と後脚とは、ほぼ二等辺三角形状に開脚した状態で接地するようになり、着座者の体重を上記４本の脚にてほぼ均等な状態で支持することができるようになった。
【００１９】
また、このような折り畳み式椅子を折り畳むときには、４節回転連鎖を形成する前脚と、肘掛け部と、背もたれ部と、連結リンク部材とを、それぞれが互いに折り重なるように操作することによって、全体をコンパクトな状態に収納することができるようになった。その結果、多くの椅子を狭い空間内に効率良く収納することができるようになった。
【００２０】
また、本発明においては、前脚と後脚との脚長さを略同じ値を有するようにしたので、本折り畳み式椅子が折り畳まれる中間状態において、前脚と後脚とは、両者のヒンジ点（結合部）を中心にして常に二等辺三角形を形成するように変形（変位）するようになり、それぞれの下端部は、床面上を直線状に移動するようになった。その結果、前後脚の開き角度を非常に小さくした中間状態を維持した状態で、複数の折り畳み式椅子を立てたままの状態で収納することができるようになり、折り畳み式椅子を安定した状態で、かつ、立てた状態で収納することができるようになった。
【図面の簡単な説明】
【図１】本発明の全体構成を示す外観斜視図である。
【図２】本発明にかかる折り畳み式椅子の開脚した状態を示す側面図である。
【図３】本発明にかかる折り畳み式椅子の平面図である。
【図４】本発明にかかる折り畳み式椅子が収納される途中の状態を示す側面図である。
【図５】本発明にかかる折り畳み式椅子が収納された状態を示す側面図である。
【符号の説明】
１　座部
１ａ　シートクッション部
１ｂ　シートフレーム
２　前脚
２ａ　前脚桟（支持部）
２ｂ　前脚ヒンジブラケット
３　後脚
３ａ　後脚桟
３ｂ　後脚ヒンジブラケット
４　背もたれ部
４ａ　背当て部
４ｂ　背当てフレーム
５　肘掛け部
５ａ　肘掛けブラケット
６　連結リンク部材
Ｐ１　ピン軸
Ｐ２　ピン軸
Ｐ３　ピン軸
Ｐ４　ピン軸
Ｐ５　ピン軸
Ｐ６　ピン軸
【図１】
2004130002.tif 000003
【図２】
2004130002.tif 000004
【図３】
2004130002.tif 000005
【図４】
2004130002.tif 000006
【図５】
2004130002.tif 000007